(57)【要約】【課題】既設防水パンは少なくとも残して再利用し、古い浴室ユニットを新たに改装する場合の、既設防水パンと支柱との接続構造を提供する。【解決手段】古い浴室ユニットを改装する場合の既設防水パンと浴室ユニット用支柱との接続構造において、略直角に折り曲りのある長尺の補強部材１を、既設防水パン６の壁付け面６ａの上に載置し、補強部材１の垂直部１ｂを、防水パンの立上り壁６ｂに締結具５を用いて固定し、浴室ユニット用支柱（コーナ支柱７及びフラット支柱８）を、その下部の固定部（７ａ／８ａ）を介して締結具５を用いて防水パンの立上り壁６ａに固定することを特徴とする。【選択図】図２
2004124471.tif 000002
【特許請求の範囲】
【請求項１】
改装された浴室ユニットにおける既設防水パンと浴室ユニット用支柱との接続構造であって、
略直角に折り曲りのある長尺の補強部材が、既設防水パンの壁付け面の上に載置され、
前記補強部材の垂直部が、防水パンの立上り壁に締結具を用いて固定され、
浴室ユニット用支柱が、その下部の固定部を介して締結具を用いて防水パンの立上り壁に固定されている、既設防水パンと支柱との接続構造。
【請求項２】
補強部材の垂直部と防水パンの立上り壁との間、及び／又は、支柱下部の固定部と防水パン立上り壁との間にスペーサが挟み込まれて浴室内法が調整されている、請求項１の接続構造。
【発明の詳細な説明】
【０００１】
【発明の属する技術分野】
本発明は、マンションや一般住宅等に既に設置されている浴室ユニットを改装する際の既設防水パンと浴室ユニット用支柱との接続構造に関するものである。
【０００２】
【従来の技術】
マンションなどの集合住宅や一般住宅等に設置される従来例の浴室ユニットを図７（平面図及び縦断面図）に、また、その浴室ユニットのコーナ支柱部を図８（部分平面図、同縦断面図及び同斜視図）に示した。このような浴室ユニットを新設する場合、浴室空間内にＦＲＰなどの（プラスチック製）防水パン６を設置し、その防水パン周囲のコーナ部に、図８（ハ）に示すように、略四角形（中空）の長尺体のコーナ支柱７〔図８（ロ）（ハ）ではコーナ支柱７の上部の図示が省略されている〕を立設する。また、平面部にはフラット支柱８を立設する。ここで、コーナ支柱７の下部では、図８（ハ）から分かるように、直角に押し広げた固定部７ａが形成されており、コーナ支柱７はその固定部７ａを利用して防水パン周囲のコーナ部（立上り壁６ｂ）にビス５で防水パン６へ固定する。また、長尺体のコーナ支柱７の略四角形（中空）の一角は、上下にわたり所定の間隙をもって開放されており、その間隙を利用して壁パネル９の端部を引っかけるように挿入する。このとき、直角に近接する壁パネル９どうしの間に生じた間隙に目地（ゴム製又はプラスチック製）１０を挿入・固定して水封する。また、壁パネル９の表面は、防水パン６の内法（Ｐ０／Ｑ０）に合わせて防水パン側壁６ｃの面と面一とする。天井パネル１３は、コーナ支柱７の上部でビス固定し、壁パネル９と天井パネル１３との隙間には目地１０を挿入・固定して水封し、浴室ユニットを完成する（例えば、特許文献１〜３参照）。
【０００３】
【特許文献１】
実開昭５５−１８０８１４号公報
【特許文献２】
実開昭５３−１２９１５４号公報
【特許文献３】
特開平９−１３７０１号公報
【０００４】
浴室ユニットを長年使用すると、室内の高温多湿が誘因となり、床面、壁面又は天井面に除去困難な黒カビ等が発生し、外観不良やカビ臭等の問題が起こってくる。壁パネル及び天井パネルが鋼板製のものであると、錆や腐食が発生し、これが膨れや剥れに進展して、見苦しいばかりでなく防水性も問題となる。
【０００５】
このような問題が生じた場合に、従来よく行なわれている方法は、その損傷箇所だけを部分的に補修（例えば、塗装やフィルム貼付）する方法である。しかし、この方法では、長い年月を経過しないうちに補修箇所から錆や腐食が再発し、再度の補修が必要となる。
また、別の方法は、新築若しくは新設同様に、浴室ユニットを全面的に改装する方法である。この方法では、先ず水道やガスの元栓を止め、浴室内の湯水栓、ガス栓、換気扇等の末端機器を外し、排水口、ドア、額縁等を外し、壁パネル、天井パネルを外し、支柱（コーナ支柱及びフラット支柱）を外して、浴槽及び防水パンを撤去した後、新規に、防水パン及び浴槽を設置して、支柱（コーナ支柱及びフラット支柱）を取り付け、天井パネル、壁パネルを取り付け、ドア、額縁を取り付け、浴室ユニットを完成させる。
【０００６】
【発明が解決しようとする課題】
しかし、この全面的な改装方法は、新築若しくは新設同様に、真新しい浴室ユニットが得られる利点があるが、改装に時間がかかり、廃棄物も大量に発生する。
本発明は、既設浴室ユニットの構成部品で、再利用可能なものはできるだけ使う（廃棄物を極力出さない）との着想から、比較的故障が少なく、図体の大きい既設防水パンは少なくとも残して再利用し、古い浴室ユニットを新たに改装する方法を提供するものであり、またその場合に好適に使用できる補助部品を提供するものである。
【０００７】
【課題を解決するための手段】
古くなった浴室ユニットを新たに改装する場合、比較的故障が少なく、図体の大きい既設防水パンは少なくとも再利用することとして、その上に、支柱（コーナ支柱及びフラット支柱）、壁パネル、ドア、天井パネル等を取り付け、浴室ユニットを完成させようとすると、いくつかの問題があることが分かった。その問題のうちの一つは、既設防水パンは、メーカやタイプによって寸法がいろいろであり、そのままでは、多くの場合、その防水パンの上に、（汎用される寸法の）柱フレーム、壁パネル、ドア、天井パネル等が取り付けられないことである。寸法で問題となるケースを分けると、次の二つである。
（ａ）既設防水パンの平面視寸法が、汎用される型の平面視寸法に比べて小さい。
（ｂ）既設防水パンの平面視寸法が、汎用される型の平面視寸法に比べて大きい。
【０００８】
また、もう一つの問題は、同じ呼称（例えば、”１１１６”：短辺側内法サイズが公称１１００ｍｍ、長辺側の内法サイズが公称１６００ｍｍ）で呼ばれている浴室ユニットであっても、メーカが違えば、その内法サイズは無視できない程度に相違（バラツキ）があることである。例えば、”１１１６”の場合で、短辺側が約１０９５ｍｍ〜１１２５ｍｍの範囲、長辺側が約１５９５ｍｍ〜１６２５ｍｍの範囲であり、短辺側も長辺側も約３０ｍｍのバラツキがある。このようなバラツキのある既設防水パンを利用して、既設浴室ユニットを改装する場合、同じ”１１１６”と呼称されるものであっても、少しずつ違った大きさの壁パネルや天井パネルをいくつも用意しなければならない。
【０００９】
本発明では、上記（ｂ）、すなわち、既設防水パンの平面視寸法が、汎用される標準型の平面視寸法に比べて大きい場合に対応可能な改装方法を種々検討し、本発明を完成するに至った。
すなわち、本発明は、改装された浴室ユニットにおける既設防水パンと浴室ユニット用支柱との接続構造であって、
略直角に折り曲りのある長尺の補強部材１が、既設防水パン６の壁付け面（水切り部）６ａの上に載置され、
前記補強部材１の垂直部１ｂが、防水パンの立上り壁（立ち面）６ｂに締結具５を用いて固定され、
浴室ユニット用支柱（コーナ支柱７及びフラット支柱８）が、その下部の固定部（７ａ／８ａ）を介して締結具５を用いて防水パンの立上り壁（立ち面）６ａに固定されている既設防水パンと支柱との接続構造である。
【００１０】
ここで、補強部材の垂直部１ｂと防水パンの立上り壁（立ち面）６ｂとの間、及び／又は、支柱（コーナ支柱７及びフラット支柱８）下部の固定部（７ａ／８ａ）と防水パン立上り壁（立ち面）６ｂとの間には、好ましくは、スペーサ（１７／１６）が挟み込まれて、浴室内法を調整している。
【００１１】
【作用】
既設防水パン６の平面視寸法が、汎用される標準型の平面視寸法に比べて大きい場合、言い換えれば、壁パネルの表面（前面）が防水パンの内法面よりも内側へせり出す場合、略直角に折り曲りのある長尺の補強部材１が、既設防水パン６の壁付け面（水切り部）６ａの上に（必要に応じてスペーサを挟み込んで）載るようにして、防水パンの立上り壁（立ち面）６ｂに堅く固定されているので、この上に載せる壁パネル６は土台が安定する。
【００１２】
また、例えば”１１１６”サイズの場合、壁パネルや天井パネルの内法サイズの平均値、すなわち、１１１０ｍｍ（短辺側）及び１６１０ｍｍ（長辺側）とするとともに、必要に応じてスペーサを利用して長さ調整すれば、既設防水パンのメーカが違っても、原則として、１種類のサイズの浴室ユニット部品（壁パネルや天井パネル）で対応が可能となる。
【００１３】
【発明の実施の形態】
以下、図面を参照して更に具体的に説明する。
図１は、本発明で用いる一例の補強部材である。浴室ユニットにおける既設防水パンの長辺又は短辺に適合する長さの長尺体の板状部材で、水平部１ａと略直角に折れ曲がる垂直部１ｂとからなり、その垂直部１ｂには防水パンと結合させるための（ビス用）穴２が穿けられている。
【００１４】
図２は、上記図１の補強部材を用いて既設防水パン６のコーナ部にコーナ支柱７を立てた場合の斜視図（但し、図２ではコーナ支柱７の上部の図示は省略されている）である。
先ず、既設防水パン６の壁付け面（水切り部）６ａの上に、各々、略直角に折り曲りのある長尺の補強部材１を防水用テープ（又は両面接着テープ）１９を介して載置し、補強部材の垂直部１ｂと防水パンの立上り壁６ｂとの間にスペーサ１７を挟み込み、ビス５を用いて補強部材１を防水パンの壁付け面６ａに堅く固定する。既設防水パン６の四周について、同様に補強部材１を固定する。
次いで、直角に押し広げた固定部７ａを下部に一体に有する長尺のコーナ支柱７を、図示するようにスペーサ１６を挟み込むようにして防水パン６のコーナ部の立上り壁６ｂにビス５を用いて固定する。１８０°に押し広げた固定部８ａを下部に一体に有する長尺のフラット支柱８についても同様に、防水パンの壁付け面６ａに固定する。
【００１５】
つづいて、長尺体のコーナ支柱７の略四角形（中空）の一角の上下にわたる間隙を利用して壁パネル端部を引っかけるように挿入して壁パネル９を立てる。このとき、直交する壁パネル９どうしの間に生じた間隙に目地（軟質プラスチック製）１０を挿入・固定して水封する。フラット部においても、同様にして長尺体のフラット８の略四角形（中空）の上下にわたる間隙を利用して壁パネル端部を引っかけるように挿入して壁パネル９を立てる。このとき、壁パネル９どうしの間に生じた間隙に目地（軟質プラスチック製）１０を挿入・固定して水封する。壁パネル９やドア等を組み込んだあとに、その上に天井パネルを載せ、支柱（７，８）の上部で天井パネルをビス固定する。また、壁パネル９と天井パネルとの隙間には目地を挿入・固定して水封する。図３は、こうして改装された浴室ユニットのコーナ部の図で、（イ）は部分平面図、（ロ）部分縦断面図である。
なお、防水性を確保する方法は、スペーサを介したコーキング材（シリコンコーキング）による方法で行うこともできる。
【００１６】
本発明で用いる補強部材は、図１に示した補強部材に限らない。用いる他の補強部材の例を図４〜図６に示した。
図４は、図１の補強部材の変形で、水平部の他の端部から下方へ折り曲がり（垂直部）がある。この下方への折り曲がりにより、防水パンと補強部材の境界を隠し、隙間を見えなくする。
図５は、図４の変形で、二つの垂直部の各々の端部を更に図のように水平方向に折り曲げたものである。この場合、上の水平方向の折曲りは壁の突き当てブロック（壁パネルのズレ防止）を兼用する。また、下の水平方向の折り曲りは作業者の安全（指の怪我防止）を期すためである。
図６は、図１の補強部材の変形で、水平部に段差を設けたものである。この際の段差は、コーキング代としてのスペーサを兼用する。
【００１７】
【発明の効果】
既設防水パンの平面視寸法が、汎用される標準型の平面視寸法に比べて大きい場合には、補強部材を用いる本発明の接続構造によって、既設防水パンは残し再利用しながら、古い浴室ユニットを新たに改装できる。図体の大きい既設防水パンを廃棄物として出さないので、地球環境にやさしい。また、既設防水パンを再利用する分、短い工事期間で浴室を改装できる。
また、補強部材の垂直部と防水パンの立上り壁との間や、支柱下部の固定部と防水パン立上り壁との間に適当な厚みのスペーサを挟み込むことによって、メーカの違いによる防水パンの内法サイズのバラツキを吸収することができ、同一呼称（例えば、”１１１６”サイズ）に対しては、１種類（多くとも２種類）のサイズの部品（壁パネルや天井パネル）で、その後の組み立てが可能になる。
なお、既設防水パンの呼称サイズは分かっても、内法サイズは不明な場合が多く、呼称サイズが分かるだけで対応部材が明確になれば、煩雑な現地調査が不要となる。
同一呼称サイズに対して１種類（多くとも２種類）の浴室ユニット部品で対応が可能になることは、浴室ユニット部品（壁パネルや天井パネル等）の種類を減らすことができ、生産・在庫管理が容易となり、誤発送、コストアップ等の問題も軽減される。
【図面の簡単な説明】
【図１】本発明で用いる第１実施例の補強部材の斜視図。
【図２】図１の補強部材を用いて既設防水パンのコーナ部にコーナ支柱を立てた場合の斜視図。
【図３】図１の補強部材を用いて改装した浴室ユニットのコーナ部で、（イ）は部分平面図、（ロ）部分縦断面図。
【図４】本発明で用いる第２実施例の補強部材の斜視図。
【図５】本発明で用いる第３実施例の補強部材の斜視図。
【図６】本発明で用いる第４実施例の補強部材の斜視図。
【図７】従来例の浴室ユニットで、（イ）は平面図、（ロ）は縦断面図。
【図８】図７における浴室ユニットのコーナ支柱部で、（イ）は部分平面図、（ロ）は部分縦断面図（正面図）、（ハ）は部分斜視図。
【符号の説明】
１：補強部材　　　１ａ：水平部
１ｂ：垂直部（防水パン結合部）　　１ｃ：垂直部（下側）
２：（ビス用）穴　　　５：締結具（ビスなど）
６：防水パン　　６ａ：防水パンの壁付け面（水切り部）
６ｂ：防水パンの立上り壁（立ち面）　　６ｃ：防水パンの側壁
７：コーナ支柱　　７ａ：（コーナ支柱下部の）固定部
８：フラット支柱　　８ａ：（フラット支柱下部の）固定部
９：壁パネル　　　１０：目地
１１：建築物躯体　　１２：浴槽
１３：天井パネル　　１４：額縁
１５：ドア　　　　１６，１７，１８：スペーサ
１９：防水テープ又は両面接着テープ　　２０：コーキング材
Ｐ０：防水パン長辺側内法サイズ
Ｑ０：防水パン短辺側内法サイズ
Ｐ１：浴室ユニットの壁パネル間長辺側内法サイズ
Ｑ１：浴室ユニットの壁パネル間短辺側内法サイズ
（Ｐ０−Ｐ１）／２：防水パン内法面と壁パネル表面との差
【図１】
2004124471.tif 000003
【図２】
2004124471.tif 000004
【図３】
2004124471.tif 000005
【図４】
2004124471.tif 000006
【図５】
2004124471.tif 000007
【図６】
2004124471.tif 000008
【図７】
2004124471.tif 000009
【図８】
2004124471.tif 000010